(57)【要約】【課題】中栓（４）と蓋本体（６）とから構成され、蓋本体は本体部（１６）及び外蓋（１８）を含み、容器の内容物を消費する際には中栓に対して蓋本体が回転され、そしてまた蓋本体の本体部に対して外蓋が閉位置から開位置に旋回せしめられる形態の容器蓋（２）を改良して、タンパーエビデント特性を付与する。【解決手段】一端は中栓の装着壁（１０）の外周面に接続され他端は外蓋のスカート壁（３２）の外周面に接続され且つ破断可能弱化部（４２）を有するタンパーエビデント片（３８）を配設し、中栓に対して蓋本体が所要とおりに装着され、蓋本体の本体部に対して外蓋が閉位置に位置せしめられた状態において、中栓に対して蓋本体が所定方向に回転され或いは蓋本体の本体部に対して外蓋が開位置に旋回せしめられると、タンパーエビデント片の破断可能弱化部が破断されてタンパーエビデント片が２個の部分に分離されるようにせしめる。【選択図】図９
2014213895.tif 000002
【特許請求の範囲】
【請求項１】
合成樹脂製中栓と合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、該閉塞壁には少なくとも１個の破断可能薄肉ラインが形成されていて少なくとも１個の変形乃至除去領域が規定されており、
該蓋本体は該中栓に装着される本体部及びヒンジ手段を介して該本体部に連結され該本体部を覆う閉位置と該本体部を露呈せしめる開位置との間を旋回自在である外蓋を含み、
該本体部は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、該覆壁には少なくとも１個の排出開口が形成されており、
該外蓋は天面壁及び該天面壁から垂下するスカート壁を含み、
該覆壁には係止手段が配設され、該閉塞壁に規定されている該変形乃至除去領域には被係止手段が配設されており、該中栓に装着された該蓋本体を該中栓に対して所定方向に回転せしめると、該係止手段と該被係止手段との協働によって該破断可能薄肉ラインが破断され、該変形乃至除去領域が変形乃至除去されて該閉塞壁に通過開口が生成される、
容器蓋において、
一端は該中栓の該装着壁の外周面に接続され他端は該外蓋の該スカート壁の外周面に接続され、且つ破断可能弱化部を有するタンパーエビデント片が配設されており、
該中栓に対して該蓋本体が所要とおりに装着され、該蓋本体の該本体部に対して該外蓋が該閉位置に位置せしめられた状態において、該中栓に対して該蓋本体が該所定方向に回転され或いは該蓋本体の該本体部に対して該外蓋が開位置に旋回せしめられると、該タンパーエビデント片の該破断可能弱化部が破断されて該タンパーエビデント片が２個の部分に分離される、
ことを特徴とする容器蓋。
【請求項２】
該中栓に対して該蓋本体が該所定方向に回転された場合、該閉塞壁の該破断可能薄肉ラインの破断に先立って該タンパーエビデント片の該破断可能弱化部が破断される、請求項１記載の容器蓋。
【請求項３】
該破断可能弱化部は該タンパーエビデント片の該他端近傍に配設されている、請求項１又は２記載の容器蓋。
【請求項４】
該タンパーエビデント片の該一端は一体成形によって該装着壁の外周面に接続され、該タンパーエビデント片の該他端には係合手段が配設されており、該スカート壁の外周面には被係合手段が配設されており、該係合手段を該被係合手段に係合せしめることによって該タンパーエビデント片の該他端が該スカート壁の外周面に接続される、請求項１から３までのいずれかに記載の容器蓋。
【請求項５】
該タンパーエビデント片の該他端は一体成形によって該スカート壁の外周面に接続され、該タンパーエビデント片の該一端には係合手段が配設されており、該装着壁の外周面には被係合手段が配設されており、該係合手段を該被係合手段に係合せしめることによって該タンパーエビデント片の該一端が該装着壁に接続される、請求項１から３までのいずれかに記載の容器蓋。
【請求項６】
該係合手段は環形状部から構成されており、該被係合手段は該スカ−ト壁の外周面又は該装着壁の外周面から突出する柱部及び該柱部の先端に配設された板状部から構成されており、該環形状部に該板状部を挿通せしめて該環形状部を該柱部に掛けることによって該係合手段が該被係合手段に係合せしめられる、請求項４又は５記載の容器蓋。
【請求項７】
該環形状部は矩形開口を規定しており、該板状部は矩形である、請求項６記載の容器蓋。
【請求項８】
該タンパーエビデント片の該他端は、該ヒンジ手段の周方向中心から９０度以上の角度間隔をおいて該スカート壁の外周面に接続されている、請求項１から７までのいずれかに記載の容器蓋。
【発明の詳細な説明】
【技術分野】
【０００１】
本発明は、合成樹脂製中栓と合成樹脂製蓋本体とから構成され、蓋本体は中栓に装着される本体部及び閉位置と開位置との間を旋回自在に本体部に連結される外蓋を含む容器蓋に関する。
【背景技術】
【０００２】
下記特許文献１には、合成樹脂製中栓（蓋栓）と合成樹脂製蓋本体（キャップ）とから構成された容器蓋が開示されている。中栓は円形閉塞壁及びこの閉塞壁の外周縁に接続された筒形装着壁を含み、装着壁を容器の口頸部の外周面に嵌合せしめることによって容器の口頸部に装着され、閉塞壁が容器の口頸部を閉塞する。閉塞壁には少なくとも１個の破断可能薄肉ラインが形成されていて少なくとも１個の除去領域が規定されている。蓋本体は天面壁及びこの天面壁の周縁から垂下するスカート壁を有し、スカート壁を中栓の装着壁に螺着することによって中栓に装着される。天面壁の内面には係止手段が配設され、閉塞壁に規定されている除去領域には被係止手段が配設されており、中栓に装着された蓋本体を中栓に対して所定方向（上方から見て反時計方向）に回転せしめると、係止手段と被係止手段との協働によって破断可能薄肉ラインが破断され、除去領域が除去されて閉塞壁に通過開口が生成される。
【先行技術文献】
【特許文献】
【０００３】
【特許文献１】特開２００５−５９９３３号公報
【発明の概要】
【発明が解決しようとする課題】
【０００４】
上述したとおりの容器蓋には所謂タンパーエビデント特性が欠如している。例えば、内容物を収容し上記のとおりの容器蓋が装着されている容器が店頭に陳列されている時に、外蓋を閉位置から開位置に旋回せしめる、或いは中栓に対して蓋本体を所定方向に回転せしめて閉塞壁に形成されている破断可能薄肉ラインを少なくとも部分的に破断する、という悪戯が加えられても、かかる悪戯の根拠が残留することがなく、悪戯が加えられた容器を消費者が購入してしまう虞がある。
【０００５】
本発明は上記事実に鑑みてなされたものであり、その主たる技術的課題は、上述したとおりの容器蓋に改良を加えてタンパーエビデント特性を付与する、即ち悪戯によって外蓋が閉位置から開位置に旋回され或いは中栓に対して蓋本体が所定方向に回転せしめられると、かかる悪戯の痕跡が残留するようにせしめることである。
【課題を解決するための手段】
【０００６】
本発明者等は、鋭意検討の結果、一端は中栓の装着壁の外周面に接続され他端は外蓋のスカート壁の外周面に接続され且つ破断可能弱化部を有するタンパーエビデント片を配設し、中栓に対して蓋本体が所要とおりに装着され、蓋本体の本体部に対して外蓋が閉位置に位置せしめられた状態において、中栓に対して蓋本体が所定方向に回転され或いは蓋本体の本体部に対して外蓋が開位置に旋回せしめられると、タンパーエビデント片の破断可能弱化部が破断されてタンパーエビデント片が２個の部分に分離されるようにせしめる、ことによって上記主たる技術的課題を達成することができることを見出した。
【０００７】
即ち、上記主たる技術的課題を達成する容器蓋として、本発明によれば、合成樹脂製中栓と合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、該閉塞壁には少なくとも１個の破断可能薄肉ラインが形成されていて少なくとも１個の変形乃至除去領域が規定されており、
該蓋本体は該中栓に装着される本体部及びヒンジ手段を介して該本体部に連結され該本体部を覆う閉位置と該本体部を露呈せしめる開位置との間を旋回自在である外蓋を含み、
該本体部は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、該覆壁には少なくとも１個の排出開口が形成されており、
該外蓋は天面壁及び該天面壁から垂下するスカート壁を含み、
該覆壁には係止手段が配設され、該閉塞壁に規定されている該変形乃至除去領域には被係止手段が配設されており、該中栓に装着された該蓋本体を該中栓に対して所定方向に回転せしめると、該係止手段と該被係止手段との協働によって該破断可能薄肉ラインが破断され、該変形乃至除去領域が変形乃至除去されて該閉塞壁に通過開口が生成される、
容器蓋において、
一端は該中栓の該装着壁の外周面に接続され他端は該外蓋の該スカート壁の外周面に接続され、且つ破断可能弱化部を有するタンパーエビデント片が配設されており、
該中栓に対して該蓋本体が所要とおりに装着され、該蓋本体の該本体部に対して該外蓋が該閉位置に位置せしめられた状態において、該中栓に対して該蓋本体が該所定方向に回転され或いは該蓋本体の該本体部に対して該外蓋が開位置に旋回せしめられると、該タンパーエビデント片の該破断可能弱化部が破断されて該タンパーエビデント片が２個の部分に分離される、
ことを特徴とする容器蓋が提供される。
【０００８】
好ましくは、該中栓に対して該蓋本体が該所定方向に回転された場合、該閉塞壁の該破断可能薄肉ラインの破断に先立って該タンパーエビデント片の該破断可能弱化部が破断される。該破断可能弱化部は該タンパーエビデント片の該他端近傍に配設されているのが好都合である。好適実施形態においては、該タンパーエビデント片の該一端は一体成形によって該装着壁の外周面に接続され、該タンパーエビデント片の該他端には係合手段が配設されており、該スカート壁の外周面には被係合手段が配設されており、該係合手段を該被係合手段に係合せしめることによって該タンパーエビデント片の該他端が該スカート壁の外周面に接続される。或いは、該タンパーエビデント片の該他端は一体成型によって該スカート壁の外周面に接続され、該タンパーエビデント片の該一端には係合手段が配設されており、該装着壁の外周面には被係合手段が配設されており、該係合手段を該被係合手段に係合せしめることによって該タンパーエビデント片の該一端が該装着壁に接続される。該係合手段は環形状部から構成されており、該被係合手段は該スカ−ト壁の外周面又は該装着壁の外周面から突出する柱部及び該柱部の先端に配設された板状部から構成されており、該環形状部に該板状部を挿通せしめて該環形状部を該柱部に掛けることによって該係合手段が該被係合手段に係合せしめられるのが好適である。該環形状部は矩形開口を規定しており、該板状部は矩形であるのが好都合である。該タンパーエビデント片の該他端は、該ヒンジ手段の周方向中心から９０度以上の角度間隔をおいて該スカート壁の外周面に接続されているのが好ましい。
【発明の効果】
【０００９】
本発明の容器蓋においては、悪戯によって外蓋が閉位置から開位置に旋回され或いは中栓に対して蓋本体が所定方向に回転せしめられると、タンパーエビデント片の破断可能弱化部が破断されてタンパーエビデント片が２個の部分に分離され、かくして悪戯の痕跡が残留せしめられる。
【図面の簡単な説明】
【００１０】
【図１】本発明に従って構成された容器蓋の好適実施形態を示す正面図。
【図２】図１に示す容器蓋の側面図。
【図３】図１に示す容器蓋における中栓の、一部を断面で示す側面図。
【図４】図３に示す中栓の平面図。
【図５】図１に示す容器蓋における蓋本体の正面図。
【図６】図５に示す蓋本体の平面図。
【図７】図５に示す蓋本体の断面図。
【図８】図１に示す容器蓋において、中栓に対して蓋本体を回転せしめた状態を示す側面図。
【図９】図１に示す容器蓋において、蓋本体の外蓋を開位置に旋回せしめた後に状態を示す側面図。
【発明を実施するための形態】
【００１１】
以下、本発明に従って構成された容器蓋の好適実施形態を図示している添付図面を参照して、更に詳細に説明する。
【００１２】
図１及び図２に図示する如く、全体を番号２で示す容器蓋は、合成樹脂製中栓４と合成樹脂製蓋本体６とから構成されている。中栓４はポリエチレン又はポリプロピレンの如き適宜の合成樹脂から射出成形又は圧縮成形によって成形することができ、同様に蓋本体６もポリエチレン又はポリプロピレンの如き適宜の合成樹脂から射出成形又は圧縮成形によって成形することができる。
【００１３】
図３及び図４を参照して説明を続けると、中栓４は円形閉塞壁８と閉塞壁８の外周縁に接続された筒形装着壁１０を含んでいる。閉塞壁８には少なくとも１個、図示の実施形態においては２個、の破断可能薄肉ライン１１が形成されていて、少なくとも１個、図示の実施形態においては２個、の変形領域１２が規定されている。そして、変形領域１２の各々には被係止手段１４が付設されている。かような中栓４はその装着壁１０を容器の口頸部（図示していない）に被嵌することによって口頸部に装着され、閉塞壁８が口頸部を閉塞する。図示の中栓４における上述したとおりの構成は、本出願人の出願にかかる特願２００１３−０３９１１３の明細書及び図面（以下「先願明細書及び図面」という）に開示されている中栓と実質上同一であるので、その詳細な説明は先願明細書及び図面に委ね、本明細書においては省略する。
【００１４】
図５乃至図７には蓋本体６が図示されている。蓋本体６は本体部１６及び外蓋１８を含んでいる。本体部１６は円形覆壁２０とこの覆壁２０の外周縁に接続された筒形嵌合壁２２とを有する。覆壁２０には少なくとも１個、図示の場合は２個、の排出開口２４が形成されている。覆壁２０の上面には略円筒形状の排出案内壁２６が形成されている。また、覆壁２０の下面には２個の係止手段２８（図７に係止手段２８の一方のみを図示している）が形成されている。外蓋１８は円形天面壁３０とこの天面壁３０の周縁から垂下する円筒形スカート壁３２とを有する。特定角度部位においてスカート壁３２の下端縁はヒンジ手段３４を介して本体部１６の嵌合壁２２の上端縁に連結されており、本体部１６に対して外蓋１８は図７に二点鎖線で示す閉位置と図７に実線で示す成形位置（図９には開位置にある外蓋１８が図示されているが、この開位置は図７に示す成形位置よりも幾分閉位置に近い）との間を旋回自在である。ヒンジ手段３４に対して直径方向反対側の角度部位において、スカート壁３２の外周面には半径方向外方に突出する弧状鍔３６が付設されている。かような蓋本体６は嵌合壁２２を中栓４の装着壁１０に嵌合することによって中栓４に回転自在に装着され、覆壁２０は中栓４の閉塞壁８の上方に位置する。蓋本体６における上述したとおりの構成も、上記先願明細書及び図面に開示されている蓋本体と実質上同一であるので、その詳細な説明は上記先願明細書及び図面に委ね、本明細書においては省略する。
【００１５】
本発明に従って構成された容器蓋２においては、タンパーエビデント片３８が配設されていることが重要である。図１及び図２と共に図３及び図４を参照して説明すると、図示の実施形態においては、タンパーエビデント片３８は中栓４と一体に成形されており、中栓４の装着壁１０の表面に一体接続された一端から細長く延出せしめられている。タンパーエビデント片３８の他端即ち自由端には、矩形開口を規定する環形状部から構成された係合手段４０が配設されている。タンパーエビデント片３８の他端近傍（従って、係合手段４０の近傍）には、横断面積を局部的に減少せしめることによって規定された破断可能弱化部４２が形成されている。
【００１６】
図１及び図２と共に図５及び図６を参照して説明を続けると、蓋本体６の外蓋１８におけるスカート壁３２の外周面には上記係合手段４０と協働する被係合手段４４が一体に形成されている。図示の実施形態における被係合手段４４は、スカート壁３２の外周面から半径方向外方に突出する柱部４６とこの柱部４６の先端に配設された矩形板状部４８とから構成されている。上記タンパーエビデント片３８の一端、即ち中栓４の装着壁１０の外周面に接続された基端、と被係合手段４４とは、中栓４に蓋本体を所要とおりに装着した図１及び図２に図示する状態において、周方向位置が略合致乃至整合せしめられているのが好都合である。上記タンパーエビデント片３８の他端に配設された係合手段４０は、矩形開口に被係合手段４４の矩形板状部４８を挿通せしめて環状形状部を被係合手段４４の柱部４６に掛けることによって、被係合手段４４に係合せしめられ、かくしてタンパーエビデント片３８の他端が外蓋１８のスカート壁３２の外周面に接続される。図６に図示する如く、板状部４８の裏面片縁部に柱部４６が接続されており、板状部４８の裏面他縁部には突条５０が形成されており、係合手段４０を構成する環状形状部を一旦柱部４６に掛けた後においては、柱部４６からの環状形状部の離脱が充分に回避乃至抑制されるのが好都合である。
【００１７】
上述したとおりの容器蓋２の使用様式を説明すると、上記先願明細書及び図面に詳細に記載されているとおり、中栓４の装着壁１０に蓋本体６の本体部１６における嵌合壁２２を、両者の相対的角度位置を所要とおり整合せしめて被嵌することによって、中栓４に蓋本体６が回転自在に装着される。そして、中栓４の装着壁１０を容器の口頸部（図示していない）に嵌合することによって、容器蓋２が容器の口頸部に装着され、中栓４の閉塞壁８が容器の口頸部を閉塞する。
【００１８】
容器の内容物を消費する際には、最初に、中栓４に対して蓋本体６を図１及び図２において上方から見て反時計方向に所定角度、例えば３００乃至３２０度程度回転せしめる（即ち図８に図示する状態にせしめる）。かくすると、上記先願明細書及び図面に記載する如く、蓋本体６の係止手段２８が中栓４の被係止手段１４に係止せしめられ、係止手段２８及び被係止手段１４を介して中栓４の閉塞壁８に形成されている破断可能薄肉ライン１１が破断されて変形領域２０が変形され、かくして閉塞壁８に通過開口（図示していない）が生成される。しかる後に、蓋本体６の外蓋１８を閉位置（図８に図示する位置）から開位置（図９に図示する位置）に旋回せしめると、蓋本体６の覆壁２０が露呈される。次いで、容器を傾動せしめると、中栓４の閉塞壁８に生成された通過開口及び蓋本体６の覆壁２０に形成されている排出開口２４を通して内容物が流出され、排出案内壁２６に案内されて排出される。
【００１９】
本発明に従って構成された容器蓋２においては、中栓４に対して蓋本体６を図１及び図２において上方から見て反時計方向に回転せしめると、中栓４の装着壁１０の外周面に接続されたタンパーエビデント片３８に対して外蓋１８のスカート壁３２の外周面に接続されたタンパーエビデント片３８の他端が漸次離隔せしめられ、図８に示すとおり、タンパーエビデント片３８の破断可能弱化部４２に集中応力が作用して破断可能弱化部４２が破断されてタンパーエビデント片３８が２個の部分に分離される。タンパーエビデント片３８の破断可能弱化部４２の破断は、中栓４の閉塞壁８に形成されている破断可能薄肉ライン１１の破断が開始される前、例えば中栓４に対して蓋本体６が５０乃至６０度程度回転される前に実現せしめられるのが好都合である。かような次第であるので、本発明に従って構成された容器蓋２においては、悪戯によって中栓４に対して蓋本体６が所要角度以上回転せしめられると、タンパーエビデント片３８が２個の部分に分離され、これによって悪戯の痕跡が残留せしめられる。
【００２０】
本発明に従って構成された容器蓋２においては、更に、中栓４に対して蓋本体６が反時計方向に回転せしめられるのに先立って、悪戯によって蓋本体６の外蓋１８が、図１及び図２に実線で示し図７に二点鎖線で示す閉位置から図９に実線で示す開位置に旋回せしめられた場合にも、中栓４の装着壁１０の外周面に接続されたタンパーエビデント片３８に対して外蓋１８のスカート壁３２の外周面に接続されたタンパーエビデント片３８の他端が漸次離隔せしめられ、図９に示すとおり、タンパーエビデント片３８の破断可能弱化部４２に集中応力が作用して破断可能弱化部４２が破断されてタンパーエビデント片３８が２個の部分に分離され、かくして悪戯の痕跡が残留せしめられる。
【００２１】
以上、添付図面を参照して本発明に従って構成された容器蓋の好適実施形態について詳細に説明したが、本発明はかかる実施形態に限定されるものではなく、本発明の範囲を逸脱することなく種々の変形乃至修正が可能であることは多言を要しない。
【００２２】
例えば、図示の実施形態においては、タンパーエビデント片３８の一端を中栓４の装着壁１０の外周面に一体に接続し、他端を係合手段４０及び被係合手段４４を介して外蓋１８のスカート壁３２の外周面に接続しているが、所望ならば、タンパーエビデント片の他端を外蓋のスカート壁の外周面に一体に接続し、一端を適宜の係合手段及び被係合手段を介して中栓の装着壁の外周面に接続することもできる。また、タンパーエビデント片の他端又は一端を係合手段及び被係合手段を介して外蓋のスカート壁の外周面又は中栓の装着壁の外周面に溶着することもできる。更に、所望ならば、中栓及び蓋本体と別個に成形したタンパーエビデント片の両端を中栓の装着壁の外周面及び外蓋のスカート壁の外周面に溶着することもできる。
【００２３】
更に、図示の実施形態においては、中栓４の閉塞壁８に配設された破断可能薄肉ライン１１が破断され変形領域１２が変形されることによって閉塞壁８に通過開口が生成されるが、所望ならば上記特許文献１に開示されている如く、中栓の閉塞壁に配設されている破断可能薄肉ラインが破断されて破断領域が閉塞壁から分離され、かくして通過開口が生成されるように構成することもできる。
【符号の説明】
【００２４】
２：容器蓋
４：中栓
６：蓋本体
８：閉塞壁
１０：装着壁
１１：破断可能薄肉ライン
１２：変形領域
１４：被係止手段
１６：本体部
１８：外蓋
２０：覆壁
２２：嵌合壁
２４：排出開口
２８：係止手段
３０：天面壁
３２：スカート壁
３８：タンパーエビデント片
４０：係合手段
４２：破断可能弱化部
４４：被係合手段
４６：柱部
４８：板状部
【図１】
2014213895.tif 000003
【図２】
2014213895.tif 000004
【図３】
2014213895.tif 000005
【図４】
2014213895.tif 000006
【図５】
2014213895.tif 000007
【図６】
2014213895.tif 000008
【図７】
2014213895.tif 000009
【図８】
2014213895.tif 000010
【図９】
2014213895.tif 000011